(57)【要約】【課題】長辺の壁部上に上向きの突起を有する基本箱を２個並置した上に安定して積み重ねることができる倍箱サイズのコンテナを提供することにある。【解決手段】長辺と短辺との２組の対辺を有する底面板２の四辺に壁部を設けてなるコンテナ１であって，長辺の半分の長さの小短辺と短辺と同じ長さの小長辺との２組の対辺を有する小底面板の四辺に小壁部を設けてなる基本箱を２個，小長辺同士を突き合わせて並置した上に段積みすることができる倍箱であり，底面板２の裏面の短辺には，下段の基本箱の小長辺の小壁部の頂部に上向きに設けられている突起を収納する短辺収納部が形成されており，底面板２の裏面における短辺と短辺との中間の位置には，下段の基本箱の小長辺の小壁部の頂部に上向きに設けられている突起を収納する中間収納部６が形成されている。【選択図】図６
2019196202.tif 000002
【特許請求の範囲】
【請求項１】
長辺と短辺との２組の対辺を有する底面板の四辺に壁部を設けてなるコンテナであって，  前記長辺の半分の長さの小短辺と前記短辺と同じ長さの小長辺との２組の対辺を有する小底面板の四辺に小壁部を設けてなる基本箱を２個，前記小長辺同士を突き合わせて並置した上に段積みすることができる倍箱であり，
前記底面板の裏面の短辺には，下段の前記基本箱の小長辺の小壁部の頂部に上向きに設けられている突起を収納する短辺収納部が形成されており，
前記底面板の裏面における短辺と短辺との中間の位置には，下段の前記基本箱の小長辺の小壁部の頂部に上向きに設けられている突起を収納する中間収納部が形成されていることを特徴とするコンテナ。
【請求項２】
請求項１に記載のコンテナであって，
前記中間収納部は，下段の基本箱の小長辺に沿った方向に連続的に形成されていることを特徴とするコンテナ。
【請求項３】
請求項１または請求項２に記載のコンテナであって，
前記壁部が可倒式になっているものであり，
前記長辺の壁部には，起立状態にて前記短辺の壁部と係合する係合部が内面向きに形成されており，
前記底面板の表面の短辺には，前記壁部を倒したときに前記係合部を収納する凹状部が形成されており，
前記凹状部の一部に，表面側に凸状となっている凸状部，もしくは切り欠かれた切り欠き部が形成されており，
前記凸状部の裏面もしくは前記切り欠き部が前記短辺収納部となっていることを特徴とするコンテナ。
【発明の詳細な説明】
【技術分野】
【０００１】
本発明は，種々の物品を収納するコンテナに関する。さらに詳細には，コンテナ同士を縦に段積みできるとともに，異なるサイズのものとの混載段積みも可能なコンテナに関するものである。
【背景技術】
【０００２】
従来から，長方形状で上方が開口したコンテナが使用されている。このようなコンテナは，コンテナ同士で段積み状態にして使用されることがある。さらに，コンテナに収納されている物を利用する立場の都合上，サイズの異なる容器を混載した特殊な段積みが行われることもある。混載段積みの場合，小箱コンテナの長辺長と大箱コンテナの短辺長とを一致させるとともに，大箱コンテナの長辺長を小箱コンテナの短辺長の２倍とする。こうすることで，２個の小箱コンテナを長辺同士を突き合わせて並置した上に１個の大箱コンテナを段積みすることができる。このようなものの例として，特許文献１（特にその図１９）に記載されているものを挙げることができる。
【０００３】
同文献中の大箱コンテナ（同文献の図１１参照）には，「ずれ防止用突起７」が形成されている（同文献の［００１８］等を参照）。「ずれ防止用突起７」は，長辺の壁部の頂部に上向きに設けられている。「ずれ防止用突起７」は，同文献の図１９に示されるように当該大箱コンテナが段積みの下段になっている状態では，上段の小箱コンテナに設けられている「嵌め込み凹部８」に嵌め込まれている（同文献の［００３０］，図２１）。これにより，段積み状態での上段の小箱コンテナのずれを防止している。また，下段の大箱コンテナの長辺の壁部の歪みも防止されている。
【先行技術文献】
【特許文献】
【０００４】
【特許文献１】特開2002-2696号公報
【発明の概要】
【発明が解決しようとする課題】
【０００５】
しかしながら前記した従来の技術には，次のような問題点があった。実際の使用状況では，上記の大箱コンテナに相当するコンテナが，さらにその２倍の大きさの倍箱コンテナと組み合わせて使用されることがある。その場合には，２個の大箱コンテナを長辺同士を突き合わせて並置した上に１個の倍箱コンテナを積むケースが出てくる。ところがここで，前述の「ずれ防止用突起７」がこのような段積みを邪魔するのである。下段の大箱コンテナのうち特に２つの長辺が突き合わされている箇所の直上には，倍箱コンテナの底面の中央部分が位置することとなる。このため，「ずれ防止用突起７」が倍箱コンテナの底面の裏面に当接してしまい，安定した段積み状態にならないのである。
【０００６】
本発明は，前記した従来の技術が有する問題点を解決するためになされたものである。すなわちその課題とするところは，長辺の壁部上に上向きの突起を有する基本箱を２個並置した上に安定して積み重ねることができる倍箱サイズのコンテナを提供することにある。
【課題を解決するための手段】
【０００７】
本発明の一態様におけるコンテナは，長辺と短辺との２組の対辺を有する底面板の四辺に壁部を設けてなるコンテナであって，長辺の半分の長さの小短辺と短辺と同じ長さの小長辺との２組の対辺を有する小底面板の四辺に小壁部を設けてなる基本箱を２個，小長辺同士を突き合わせて並置した上に段積みすることができる倍箱であり，底面板の裏面の短辺には，下段の基本箱の小長辺の小壁部の頂部に上向きに設けられている突起を収納する短辺収納部が形成されており，底面板の裏面における短辺と短辺との中間の位置には，下段の基本箱の小長辺の小壁部の頂部に上向きに設けられている突起を収納する中間収納部が形成されているものである。
【０００８】
上記態様におけるコンテナでは，２個並置した基本箱の上に段積みにすることができる。その状態では，コンテナの短辺の位置，および短辺と短辺との中間の位置が，基本箱の小長辺の上に位置する。ここで，基本箱の小長辺の小壁部の頂部に上向きの突起が設けられていても，その突起は段積み状態にて，コンテナの短辺収納部や中間収納部に収納されることとなる。よって上記態様のコンテナは，前述の上向きの突起を有する基本箱の上に段積みにしても安定している。
【０００９】
前記態様のコンテナではさらに，中間収納部が，下段の基本箱の小長辺に沿った方向に連続的に形成されていることとすることができる。このようにしておくことにより，下段の基本箱における突起の小長辺方向の位置に関わらず，中間収納部に突起が収納されることとなる。このため，基本箱の品種に対する汎用性が高い。
【００１０】
前記のいずれかの態様のコンテナではまた，壁部が可倒式になっており，長辺の壁部には，起立状態にて短辺の壁部と係合する係合部が内面向きに形成されており，底面板の表面の短辺には，壁部を倒したときに係合部を収納する凹状部が形成されており，凹状部の一部に，表面側に凸状となっている凸状部，もしくは切り欠かれた切り欠き部が形成されており，凸状部の裏面もしくは切り欠き部が短辺収納部となっていることが望ましい。この場合，コンテナの壁部を倒した折り畳み姿態では，長辺の壁部の係合部は底面板の表面の短辺の凹状部に収納される。このため，折り畳み姿態での厚さ方向のサイズが小さい。その一方で，凸状部もしくは切り欠き部により，前述の段積み状態での安定性も得られる。
【発明の効果】
【００１１】
本構成によれば，長辺の壁部上に上向きの突起を有する基本箱を２個並置した上に安定して積み重ねることができる倍箱サイズのコンテナが提供されている。
【図面の簡単な説明】
【００１２】
【図１】実施の形態に係るコンテナ（倍箱）の斜視図である。
【図２】図１のコンテナとともに用いる基本コンテナの斜視図である。
【図３】実施の形態に係るコンテナと図２の基本コンテナとを段積みにした状態を示す斜視図である。
【図４】図２の基本コンテナの一部を拡大して示す拡大斜視図である。
【図５】図１のコンテナの一部を拡大して示す拡大切開斜視図（その１）である。
【図６】図１のコンテナの一部を拡大して示す拡大切開斜視図（その２）である。
【図７】図１のコンテナを折り畳み姿態にして示す斜視図である。
【図８】図１のコンテナの長辺の壁部を単独の状態で示す斜視図である。
【図９】図１のコンテナの底面板の一部を拡大して示す拡大切開斜視図である。
【図１０】図１のコンテナの底面板の一部を切開して示す切開斜視図である。
【図１１】図３の混載段積み状態を一部切開して示す切開斜視図である。
【図１２】図１０のコンテナの底面板における収納部に関する第１の変形例を示す切開斜視図である。
【図１３】図１０のコンテナの底面板における収納部に関する第２の変形例を示す切開斜視図である。
【図１４】図１３の変形例を用いている場合における図３に相当する斜視図である。
【図１５】図１４中の開口窓の箇所を拡大して示す拡大斜視図である。
【図１６】図１４中の切り欠き部の箇所を拡大して示す拡大斜視図である。
【発明を実施するための形態】
【００１３】
以下，本発明を具体化した実施の形態について，添付図面を参照しつつ詳細に説明する。本形態は，図１に示すコンテナ１として本発明を具体化したものである。図１のコンテナ１は，２組の対辺を有する長方形状の底面板２とその四辺に設けられた壁部３，４とを有している。底面板２の両短辺上にあるのが壁部３で，両長辺上にあるのが壁部４である。
【００１４】
本形態のコンテナ１は，図２に示す基本コンテナ２１と組み合わせて使用することができる。基本コンテナ２１は，長方形状の底面板２２とその四辺に設けられた壁部２３，２４とを有している。底面板２２の両長辺上にあるのが壁部２３で，両短辺上にあるのが壁部２４である。図２には，２個の基本コンテナ２１を，それらの長辺の壁部２３同士を突き合わせて並置した状態で示している。基本コンテナ２１の短辺長（Ｌ／２）は，コンテナ１の長辺長（Ｌ）の半分である。基本コンテナ２１の長辺長（Ｗ）は，コンテナ１の短辺長（Ｗ）と同じである。よって図３に示すように，２個並置した基本コンテナ２１の上に１個のコンテナ１を段積みすることができる。図３の混載段積み状態では，コンテナ１の短辺の位置，および短辺と短辺との中間の位置が，基本コンテナ２１の長辺の上に位置する。
【００１５】
なお基本コンテナ２１は，特許文献１に示されるものでいえば，「小型の折り畳みコンテナ」ではなく「大型の折り畳みコンテナ」に相当するサイズのものである。すなわち本形態のコンテナ１は，特許文献１における「大型の折り畳みコンテナ」よりさらに大きい，倍箱サイズのものである。基本コンテナ２１は，常に本形態のコンテナ１と組み合わせて使用されるというものではない。
【００１６】
図２に戻って，基本コンテナ２１の長辺の壁部２３の頂面上には，突起２５が上向きに形成されている。突起２５は，２つの壁部２３のそれぞれに複数個設けられている。基本コンテナ２１のうち突起２５の付近の部分を拡大して図４に示す。
【００１７】
一方，倍箱であるコンテナ１には，図５，図６に示されるように，底面板２の裏面に凹状の収納部５，６が形成されている。図５の収納部５は，コンテナ１における短辺の壁部３の直下のものである。図６の収納部６は，コンテナ１における短辺と短辺との中間位置の裏面のものである。図３の段積み状態では，下段の基本コンテナ２１の突起２５が，上段のコンテナ１の収納部５，６に嵌り込んで収納されている。これにより，図３の段積み状態でのコンテナ１の横ずれが防止され，段積み状態が安定する。また，下段の基本コンテナ２１の長辺の壁部２３の歪みも防止されている。
【００１８】
図５の収納部５についてさらに説明する。そのため，本形態のコンテナ１そのものについて説明を補充する。本形態のコンテナ１は，折り畳み可能なものである。すなわち，壁部３，４が可倒式になっている。図７に，壁部３，４を倒して折り畳み姿態にしたコンテナ１を示す。コンテナ１を図１の伸開姿態から図７の折り畳み姿態にするときには，まず短辺の壁部３を倒してから長辺の壁部４を倒す。
【００１９】
図８に，長辺の壁部４を単独の状態で示す。壁部４における，図８中で正面側となっている面が，コンテナ１にて容器の内部を向く面である。壁部４の左右両端には，凸部１０が形成されている。凸部１０は，図１の伸開姿態にて短辺の壁部３と引っ掛かり合うことで伸開姿態を安定して維持するための係合部である。図７の折り畳み姿態では，凸部１０は下の底面板２の方を向いている。
【００２０】
一方，底面板２における短辺沿いの部位には，図９に示されるように，主面部分１４より少し高い位置の底部フランジ面１５と，底部フランジ面１５の外縁および内縁から下方に延びる最外壁１６および次外壁１７とが設けられている。最外壁１６と次外壁１７との間は，上方側では底部フランジ面１５により塞がれているが下方側では開口している。よって，この最外壁１６と次外壁１７との間の隙間が前述の収納部５として機能する。
【００２１】
ただし底部フランジ面１５の一部には，表側から見て凹んだ形状の凹状部１１が設けられている（図５参照）。凹状部１１は，図７の折り畳み姿態にて壁部４の凸部１０を収納するための部位である（図７中の矢印Ａの箇所）。凹状部１１に凸部１０が収納されることで，折り畳み姿態でのコンテナ１の厚さを削減している。
【００２２】
ここで，凹状部１１の一部分に逆に上向きに突出する凸状部１２が設けられている。凸状部１２は，図３の段積み状態にて下段の基本コンテナ２１の突起２５の上方となる位置に設けられている。つまり，最外壁１６と次外壁１７との間の隙間が収納部５として実際に機能しうるのは，凹状部１１以外の部分および，凹状部１１のうち凸状部１２の部分である。基本コンテナ２１は前述のように必ずしもコンテナ１とセットとして提供されるとは限らないものであるが，製品として世間に提供されているものであるから，突起２５の位置は既知である。本形態のコンテナ１では，突起２５の位置が凹状部１１の範囲内に入っている場合，その位置を凸状部１２とすることで，突起２５との干渉を回避している。なお，図８に示した壁部４の凸部１０にも，凸状部１２との干渉を防ぐ凹み部１３が形成されている。
【００２３】
図６の収納部６についてもさらに説明する。図６に示されるように，収納部６の両サイドには，下方に延びる第１中央壁１８，第２中央壁１９が設けられている。第１中央壁１８と第２中央壁１９との間の隙間が収納部６である。一方，底面板２の裏面には，縦横に縦壁２０，横壁２６が形成されている。このうち第１中央壁１８，第２中央壁１９と平行な横壁２６は当然，第１中央壁１８と第２中央壁１９との間には設けられていない。第１中央壁１８，第２中央壁１９と交差する方向の縦壁２０は，第１中央壁１８と第２中央壁１９との間には，設けられていないか，または，設けられていたとしても，図６中に見えている部分よりも低い高さとされている。これにより，図３の段積み状態にしたときに，突起２５が収納部６に収納され，何にも干渉しないようになっている。
【００２４】
また，コンテナ１の底面板２の表側には，短辺と短辺との中間の位置に，主面部分１４より少し盛り上がった盛り上がり領域９が形成されている（図１，図６）。盛り上がり領域９は，裏面側に収納部６を形成するための必要から形成されているものである。図１０に，底面板２を盛り上がり領域９および収納部６の箇所で切開した状態を示す。図１０に示す例では，収納部６の箇所内にも，低い高さの縦壁２０が形成されている。
【００２５】
図１，図６から明らかなように領域９は，長辺の壁部４から長辺の壁部４までの全範囲にわたって設けられている訳ではない。このことは，裏面の収納部６も，長辺から長辺までの全範囲にわたって設けられてはいない，ということを示している。前述のように基本コンテナ２１における突起２５の位置は既知であるため，すべての突起２５が収納部６の範囲内に収まっていれば十分だからである。ただし，長辺から長辺までの全範囲にわたって収納部６および盛り上がり領域９が形成されていても構わない。なお，収納部６に関しては前述の収納部５と異なり，折り畳み姿態にしたときにおける壁部４との干渉を考慮する必要はない。
【００２６】
図１１に，図３の段積み状態におけるコンテナ１および基本コンテナ２１を一部切開して示す。基本コンテナ２１の突起２５の本来の役割は，基本コンテナ２１同士で段積みした際における横ずれの防止である。このため基本コンテナ２１の底面板２２の裏面における長辺（上段のコンテナ１の短辺と平行）沿いの箇所には，突起２５が嵌り込む凹状の収納部２７が形成されている。ただし，基本コンテナ２１における長辺と長辺との中間の位置には，そのような収納部は形成されていない。
【００２７】
続いて，本形態のコンテナ１の変形例を説明する。これから説明する変形例における，ここまでで説明したこととの相違点はすべて，収納部５もしくは収納部６に関するものである。以下の変形例の説明において，上記で説明したことと共通する部分には共通する符号を付し，相違する部分については適宜変更した符号を付与するものとする。
【００２８】
図１２に，中間位置の収納部６に関する第１の変形例を示す。図１２の底面板２においては，盛り上がり領域９が，連続的にではなく離散的に形成されている。下段の基本コンテナ２１として決まった品種のもののみを用いる場合にはこのような形態で十分である。なお図１２に示すものにおいては，第１中央壁１８（および第２中央壁１９）は連続的に形成されていることとしているが，このことは必須ではない。図１２に示すものにおいてはまた，第１中央壁１８と第２中央壁１９との間の領域では縦壁２０が設けられていないこととしている。しかしこのことも必須ではない。第１中央壁１８と第２中央壁１９との間の領域にも縦壁２０を設けることとしてもよい。ただしその場合，離散的な盛り上がり領域９の真裏の箇所においては，低い高さの縦壁２０に留めるべきである。
【００２９】
図１３に，収納部６に関する第２の変形例を示す。図１３の底面板２においては，盛り上がり領域９が形成されていない。その代わりに，図１２において離散的な盛り上がり領域９とされている箇所に，開口窓２８が形成されている。このような形態でも，下段の突起２５と底面板２との干渉を防止することができる。図１３の変形例の場合における縦壁２０のあり方については，基本的には図１２の変形例の場合と同様である。ただし，開口窓２８の箇所に縦壁２０を設けることは不可能である。
【００３０】
図１３には，短辺の収納部５に関する変形例も現れている。すなわち図１３の底面板２における凹状部１１の箇所には，図９に示した凸状部１２が設けられておらず，代わりにその箇所は切り欠き部２９とされている。このような形態でも，下段の突起２５と凹状部１１との干渉を防止することができる。
【００３１】
図１３の変形例の場合における混載段積み状態においては，図１４に示されるように，上段のコンテナ１の開口窓２８を通して，下段の基本コンテナ２１の突起２５が見える状況にある。また，上段のコンテナ１の切り欠き部２９のところでも，下段の基本コンテナ２１の突起２５が見えている。図１４における開口窓２８の箇所Ｂおよび切り欠き部２９の箇所Ｃを拡大して，図１５，図１６に示す。なお，図１３の変形例において，中間位置の収納部６に関してのみ，図６もしくは図１２に示した構造としてもよい。
【００３２】
なお，図１４に示される段積み状態には，図３との相違点がさらに２点ある。カードホルダー３０，および，基本コンテナ２１の屈曲部３１である。これらについて簡単に説明する。
【００３３】
カードホルダー３０は，コンテナ１における長辺の壁部４の外面に取り付けられている。カードホルダー３０は，ある程度の可撓性のある材質で形成されているものであり，壁部４の外面との間に薄片状のカードを挟み込んで保持するためのものである。そのカードは，コンテナ１自体あるいはその収納物に関する何らかの情報を表示するためのものである。図１４の例におけるカードホルダー３０ではその左右方向両端部に傾斜面３２が設けられている。これにより，カードホルダー３０の両端部に外部の物（ユーザーの指等）が引っ掛かりにくいようにしている。このため，カードホルダー３０のコンテナ１からの脱落が起こりにくくなっている。
【００３４】
なお，図１４では壁部４の外面における図中で右半分の部位にカードホルダー３０が取り付けられているが，左半分の部位にカードホルダー３０を取り付けることもできる。当該部位には，壁部４側に形成されているカードホルダー３０の取付形状部３３が現れている。あるいは，カードホルダー３０を壁部４の内面に取り付けるように構成することもできるし，短辺の壁部３の外面または内面に取り付けるように構成することもできる。
【００３５】
屈曲部３１は，下段の基本コンテナ２１の短辺の壁部２４の一部である。図１４における壁部２４の下端付近の外面には，水平リブ３４が形成されている。屈曲部３１は，水平リブ３４のうち左右方向の中央付近の一部が上方にシフトするように屈曲して形成されている部分である。また，基本コンテナ２１の底面板２２における屈曲部３１の下方の部位には，切り欠き部３５が形成されている。屈曲部３１および切り欠き部３５により，基本コンテナ２１の両短辺の下部に指を入れて基本コンテナ２１を持ち上げる動作をやりやすくしている。屈曲部３１および切り欠き部３５の箇所ではそれ以外の箇所よりも，水平リブ３４の下側の空間が広いからである。なお，ここで説明したもののうち水平リブ３４および切り欠き部３５は，図３における基本コンテナ２１にもある。
【００３６】
以上詳細に説明したように本実施の形態によれば，倍箱サイズであるコンテナ１において，２つ並置した基本コンテナ２１の上に段積みするための構成を備えている。すなわち前述の，短辺の収納部５（凸状部１２や切り欠き部２９を含む。）および中間位置の収納部６（開口窓２８を含む。）がそれである。これにより，下段の基本コンテナ２１が，長辺の壁部２３の頂面上に上向きの突起２５を有するものであっても，その上に安定して積み重ねることができる倍箱サイズのコンテナ１が実現されている。特に，凹状部１１や凸状部１２もしくは切り欠き部２９が設けられていることにより，折り畳み姿態での厚さ方向のコンパクト性との両立も達成されている。こうして，異なるサイズのコンテナを段積みして使用することがより便利になっている。
【００３７】
なお，本実施の形態は単なる例示にすぎず，本発明を何ら限定するものではない。したがって本発明は当然に，その要旨を逸脱しない範囲内で種々の改良，変形が可能である。例えば前記形態では，コンテナ１の壁部３，４は可倒式であることとした。しかしそのことは必須ではなく，伸開姿態のまま折り畳みできないものであってもよい。その場合，短辺の底部フランジ面１５に凹状部１１を設ける必要がない。したがって凸状部１２や切り欠き部２９を設けるまでもなく，最外壁１６と次外壁１７との間の隙間が全域にわたり収納部５として機能する。また，コンテナ１や基本コンテナ２１の各部の具体的デザインについては限定はない。
【符号の説明】
【００３８】
１    コンテナ（倍箱）
２    底面板
３    壁部（短辺）
４    壁部（長辺）
５    収納部（短辺）
６    収納部（中間位置）
９    盛り上がり領域
１２  凸状部
２５  突起
２８  開口窓
２９  切り欠き部
【図１】
2019196202.tif 000003
【図２】
2019196202.tif 000004
【図３】
2019196202.tif 000005
【図４】
2019196202.tif 000006
【図５】
2019196202.tif 000007
【図６】
2019196202.tif 000008
【図７】
2019196202.tif 000009
【図８】
2019196202.tif 000010
【図９】
2019196202.tif 000011
【図１０】
2019196202.tif 000012
【図１１】
2019196202.tif 000013
【図１２】
2019196202.tif 000014
【図１３】
2019196202.tif 000015
【図１４】
2019196202.tif 000016
【図１５】
2019196202.tif 000017
【図１６】
2019196202.tif 000018